(57)【要約】【課題】本体操作部の操作中に音声出力部から出力される音声に起因する不都合を解消し得るプロジェクタを提供する。【解決手段】投写部１３およびスピーカ１５を有する本体部２と、投写部１３およびスピーカ１５の少なくとも一方を操作するための操作キーを有して本体部２に配設された本体操作部１６と、制御部２０とを備え、制御部２０は、本体操作部１６の操作キーが操作されかつスピーカ１５から出力させる音声の音量として設定されている設定音量Ｖ１が操作キーの操作時点において所定の規定音量Ｖ２を超えているときに、設定音量Ｖ１を規定音量Ｖ２まで低下させる音量低下処理を実行する。【選択図】図３
2009100077.tif 000002
【特許請求の範囲】
【請求項１】
投写部および音声出力部を有する本体部と、前記投写部および前記音声出力部の少なくとも一方を操作するための操作キーを有して前記本体部に配設された本体操作部と、前記音声出力部を制御する制御部とを備えたプロジェクタであって、
前記制御部は、前記操作キーが操作されかつ前記音声出力部から出力させる音声の音量として設定されている設定音量が当該操作キーの操作時点において所定の音量を超えているときに、当該設定音量を前記所定の音量まで低下させる音量低下処理を実行するプロジェクタ。
【請求項２】
記録メディアに記録されたコンテンツを再生する再生部を備え、
前記本体操作部は前記再生部を操作する再生部操作用の前記操作キーを有して構成され、
前記制御部は、前記再生部操作用の操作キーが操作されたときに前記音量低下処理を実行する請求項１記載のプロジェクタ。
【請求項３】
前記制御部は、前記音声出力部から音声が出力されている状態において前記操作キーが操作されたときに前記音量低下処理を実行する請求項１または２記載のプロジェクタ。
【請求項４】
前記制御部は、前記音量低下処理を実行した時点から所定時間が経過したときに、前記設定音量を前記音量低下処理の実行直前に設定されていた音量まで上昇させる音量上昇処理を実行する請求項３記載のプロジェクタ。
【請求項５】
前記制御部は、前記音量上昇処理において前記設定音量を徐々に上昇させる請求項４記載のプロジェクタ。
【請求項６】
投写部および音声出力部を有する本体部と、当該投写部および当該音声出力部の少なくとも一方を操作するための操作キーを有して当該本体部に配設された本体操作部とを備えたプロジェクタにおける当該音声出力部を制御する音声出力制御方法であって、
前記操作キーが操作されかつ前記音声出力部から出力させる音声の音量として設定されている設定音量が当該操作キーの操作時点において所定の音量を超えているときに、当該設定音量を前記所定の音量まで低下させる音量低下処理を実行する音声出力制御方法。
【発明の詳細な説明】
【技術分野】
【０００１】
本発明は、音声出力部を備えたプロジェクタ、および音声出力部を備えたプロジェクタにおける音声出力部を制御する音声出力制御方法に関するものである。
【背景技術】
【０００２】
一般家庭におけるプロジェクタの普及に伴い、例えば、広いリビングルームにスクリーンを設置して、ＤＶＤ等に記録されている映画などのコンテンツをスクリーンに大画面で投写すると共に、音声を大きな音量で出力させて、迫力のある映像と音声を家庭で楽しむプロジェクタの使用形態が一般化している。このような使用形態に対応すべく、ＤＶＤ再生装置やスピーカを内蔵したプロジェクタ（一例として、特開平７−１１３９９６号公報に開示された液晶プロジェクタ）が開発されている。
【特許文献１】特開平７−１１３９９６号公報（第２頁、第１図）
【発明の開示】
【発明が解決しようとする課題】
【０００３】
ところが、ＤＶＤ再生装置やスピーカを内蔵した従来のプロジェクタには、以下の問題点がある。すなわち、この種のプロジェクタを上記のような形態で使用するときには、スクリーンやプロジェクタの本体部から比較的離れた位置でコンテンツを視聴することが多い。一方、プロジェクタに対する各種の操作を行う方法としては、付属のリモコンを用いて操作する方法と、プロジェクタの本体部に配設されている本体操作部を用いて操作する方法とがある。この場合、例えば、本体部のＤＶＤ再生装置にＤＶＤをセットして再生を開始したり、本体部の向きを調整した後に台形補正等を行ったりするときには、リモコンを用いるよりも、本体操作部を用いる方が便利である。ここで、例えば、スピーカから出力させる音声の音量が大きく設定されているとすると、プロジェクタのＤＶＤ再生装置にＤＶＤをセットして本体操作部の再生キーを操作したときに、コンテンツの再生開始と同時に大音量の音声がスピーカから突然出力される。そのため、本体部の近くで本体操作部を操作しているユーザーが、その大音量の音声に曝されることとなる。また、ＤＶＤの再生中に大音量の音声がスピーカから出力されている状態において、本体部の向きを調整した後に本体操作部を操作して台形補正等を行うときにも、ユーザーはその大音量の音声に曝されることとなる。したがって、このプロジェクタには、本体操作部の操作中にスピーカから出力される音声に起因して上記のような不都合が生じるという問題点が存在する。
【０００４】
本発明は、かかる問題点に鑑みてなされたものであり、本体操作部の操作中に音声出力部から出力される音声に起因する不都合を解消し得るプロジェクタおよび音声出力制御方法を提供することを主目的とする。
【課題を解決するための手段】
【０００５】
上記目的を達成すべく本発明に係るプロジェクタは、投写部および音声出力部を有する本体部と、前記投写部および前記音声出力部の少なくとも一方を操作するための操作キーを有して前記本体部に配設された本体操作部と、前記音声出力部を制御する制御部とを備えたプロジェクタであって、前記制御部は、前記操作キーが操作されかつ前記音声出力部から出力させる音声の音量として設定されている設定音量が当該操作キーの操作時点において所定の音量を超えているときに、当該設定音量を前記所定の音量まで低下させる音量低下処理を実行する。
【０００６】
また、本発明に係る音声出力制御方法は、投写部および音声出力部を有する本体部と、当該投写部および当該音声出力部の少なくとも一方を操作するための操作キーを有して当該本体部に配設された本体操作部とを備えたプロジェクタにおける当該音声出力部を制御する音声出力制御方法であって、前記操作キーが操作されかつ前記音声出力部から出力させる音声の音量として設定されている設定音量が当該操作キーの操作時点において所定の音量を超えているときに、当該設定音量を前記所定の音量まで低下させる音量低下処理を実行する。
【０００７】
このプロジェクタおよび音声出力制御方法によれば、本体操作部の操作キーが操作されかつ音声出力部から出力させる音声の設定音量が操作キーの操作時点において所定の音量を超えているときに、設定音量を所定の音量まで低下させる音量低下処理を実行することにより、設定音量が大きく設定されていたとしても、所定の音量を十分に小さな値に規定しておくことで、本体部の近くで本体操作部を操作しているユーザーが大音量の音声に曝される不都合を確実に解消することができる。
【０００８】
また、本発明に係るプロジェクタは、上記のプロジェクタにおいて、記録メディアに記録されたコンテンツを再生する再生部を備え、前記本体操作部は前記再生部を操作する再生部操作用の前記操作キーを有して構成され、前記制御部は、前記再生部操作用の操作キーが操作されたときに前記音量低下処理を実行する。
【０００９】
このプロジェクタによれば、制御部が、プロジェクタに備えられている再生部を操作する操作キー（例えば、再生キー）が操作されたときに音量低下処理を実行することにより、再生部に記録メディアをセットすると共に本体操作部を用いて再生部を操作しているユーザーが大音量の音声に曝される不都合を確実に解消することができる。
【００１０】
また、本発明に係るプロジェクタは、上記のプロジェクタにおいて、前記制御部は、前記音声出力部から音声が出力されている状態において前記操作キーが操作されたときに前記音量低下処理を実行する。
【００１１】
このプロジェクタによれば、制御部が、音声出力部から音声が出力されている状態において本体操作部の操作キーが操作されたときに音量低下処理を実行することにより、例えば、記録メディアの再生中に本体部の向きを調整した後に本体操作部を用いて台形補正等を行う場合においても、本体部の近くで本体操作部を操作しているユーザーが大音量の音声に曝される不都合を確実に解消することができる。
【００１２】
また、本発明に係るプロジェクタは、上記のプロジェクタにおいて、前記制御部は、前記音量低下処理を実行した時点から所定時間が経過したときに、前記設定音量を前記音量低下処理の実行直前に設定されていた音量まで上昇させる音量上昇処理を実行する。
【００１３】
このプロジェクタによれば、制御部が、音量低下処理を実行した時点から所定時間が経過したときに、設定音量を音量低下処理の実行直前に設定されていた音量まで上昇させる音量上昇処理を実行することにより、音量低下処理によって自動的に低下した設定音量を再び上昇させるために音量設定キーを操作する煩雑さを解消することができる。
【００１４】
また、本発明に係るプロジェクタは、上記のプロジェクタにおいて、前記制御部は、前記音量上昇処理において前記設定音量を徐々に上昇させる。
【００１５】
このプロジェクタによれば、制御部が、音量上昇処理において設定音量を徐々に上昇させることにより、設定音量を違和感なく元の音量に戻すことができる。
【発明を実施するための最良の形態】
【００１６】
以下、本発明に係るプロジェクタおよび音声出力制御方法の最良の形態について、添付図面を参照して説明する。図１，２に示すプロジェクタ１は、本発明に係るプロジェクタの一例であって、本体部２およびリモコン３を備えて構成されている。本体部２は、図３に示すように、ＤＶＤ再生部１１、映像信号処理部１２、投写部１３、音声信号処理部１４、スピーカ１５、本体操作部１６、キー入力処理部１７、記憶部１８、電源部１９および制御部２０を備えて構成されている。また、本体部２の前面パネルには、メインスイッチ２１（図１参照）が配設されている。
【００１７】
ＤＶＤ再生部１１は、ＤＶＤ２００（本発明における記録メディア一例：図４参照）に記録されているＡＶ（Audio Visual）コンテンツとしての映像および音声を再生して、映像信号Ｓｐおよび音声信号Ｓｓを映像信号処理部１２および音声信号処理部１４にそれぞれ出力する。この場合、ＤＶＤ再生部１１は、自動再生機能を備えており、ＤＶＤ２００がセットされている状態において、後述する本体操作部１６の電源キー３１またはリモコン３の電源キー４１の操作に応じてプロジェクタ１が起動したときに、制御部２０の制御に従ってＤＶＤ２００の再生を自動的に開始する。
【００１８】
映像信号処理部１２は、ＤＶＤ再生部１１から出力された映像信号Ｓｐや、外部（外部装置としてのＤＶＤ再生装置やパソコン等）から入力した映像信号Ｓｐを映像データＤｉに変換して投写部１３に出力する。投写部１３は、図外の光源および光変調素子（一例として、液晶ライトバルブやＤＭＤ（Digital Micromirror Device：ＤＭＤは米国テキサスインスツルメンツ社の商標である））、並びに図１に示す投写レンズ１３ａを備えて構成されている。この場合、投写部１３は、制御部２０の制御に従い、光源からの光を映像データＤｉに基づいて光変調して投写光Ｌ（図４参照）を出力することにより、同図に示す映像Ｐなどの各種映像をスクリーン１００（同図参照）に投写する。
【００１９】
音声信号処理部１４は、制御部２０の制御に従い、ＤＶＤ再生部１１から出力された音声信号Ｓｓや、外部から入力した音声信号Ｓｓを所定のゲインで増幅する。スピーカ１５は、音声信号処理部１４によって増幅された音声信号Ｓｓに基づく音声を出力する。この場合、音声信号処理部１４およびスピーカ１５によって本発明における音声出力部が構成される。本体操作部１６は、図２に示すように、一例として、電源キー３１、再生キー３２および音量設定キー３３などの各種操作キー（いずれも本発明における操作キーに相当する）を備えて、本体部２の上面パネルに配設されている。また、本体操作部１６は、各操作キーが操作されたときに各操作キーに対応する操作信号Ｓｏ１を出力する。なお、再生キー３２が本発明における再生部操作用の操作キーに相当する。
【００２０】
キー入力処理部１７は、リモコン３から出力される赤外線信号Ｓｉを受光してリモコン３の各操作キーに対応する操作信号Ｓｏ２を出力する。記憶部１８は、本体操作部１６の音量設定キー３３またはリモコン３の音量設定キー４３の操作によって設定された設定音量Ｖ１についての設定音量データＤｖ１を記憶する。また、記憶部１８は、制御部２０によって実行される第１処理５０（図５参照）、第２処理６０（図６参照）および第３処理７０（図７参照）において用いられる規定音量Ｖ２（本発明における所定の音量）についての規定音量データＤｖ２を記憶する。電源部１９は、制御部２０の制御に従ってプロジェクタ１を構成する各部に電力を供給する。制御部２０は、プロジェクタ１を構成する各構成要素を制御する。また、制御部２０は、第１処理５０、第２処理６０および第３処理７０を実行することにより、本発明に係る音声出力制御方法に従ってスピーカ１５からの音声出力を制御する。
【００２１】
リモコン３は、図１に示すように、電源キー４１、再生キー４２および音量設定キー４３などの各種操作キーを備えて構成され、これらが操作されたときに各操作キーに対応する赤外線信号Ｓｉを出力する。
【００２２】
次に、プロジェクタ１の使用方法の一例、およびその際のプロジェクタ１の動作について、図面を参照して説明する。
【００２３】
このプロジェクタ１では、メインスイッチ２１が操作されたときに、電源部１９に電源が投入されると共に、電源部１９から制御部２０等に電力が供給される。これにより、プロジェクタ１がスタンバイ状態に移行する。次に、例えば、ＤＶＤ２００に記録されているコンテンツを再生するときには、図４に示すように、ＤＶＤ再生部１１にＤＶＤ２００をセットして、次いで、本体操作部１６の電源キー３１を投入する。この際に、本体操作部１６が、電源キー３１に対応する操作信号Ｓｏ１を出力し、制御部２０が操作信号Ｓｏ１に従い、図５に示す第１処理５０を実行する。
【００２４】
この第１処理５０では、制御部２０は、まず、起動処理を実行してプロジェクタ１を構成する各部を初期化すると共に、電源部１９を制御して投写部１３の光源に対する電源供給を開始させる（ステップ５１）。これに応じて、投写部１３の光源が点灯する。続いて、制御部２０は、ＤＶＤ再生部１１にＤＶＤ２００がセットされているか否かを判別する（ステップ５２）。この場合、この時点でＤＶＤ再生部１１にＤＶＤ２００がセットされているため、制御部２０は、起動の操作が、本体操作部１６（電源キー３１）を用いた操作であったか、またはリモコン３（電源キー４１）を用いた操作であったかを判別する（ステップ５３）。
【００２５】
この場合、この例では、本体操作部１６における電源キー３１の操作によって起動を行っているため、制御部２０は、その旨を判別して、次いで、設定音量データＤｖ１および規定音量データＤｖ２を記憶部１８から読み出して、設定音量Ｖ１および規定音量Ｖ２を特定する（ステップ５４）。続いて、制御部２０は、設定音量Ｖ１と規定音量Ｖ２とを比較して、設定音量Ｖ１が規定音量Ｖ２を超えているか否かを判別する（ステップ５５）。この場合、設定音量Ｖ１が規定音量Ｖ２を超えているときには、制御部２０は、その旨を判別して、設定音量Ｖ１を規定音量Ｖ２まで低下させる音量低下処理を実行する（ステップ５６）。
【００２６】
次いで、制御部２０は、ＤＶＤ再生部１１を制御して、ＤＶＤ２００の再生を開始させる（ステップ５７）。これに応じて、ＤＶＤ再生部１１が、ＤＶＤ２００の再生を開始して、映像信号Ｓｐを映像信号処理部１２に出力すると共に、音声信号Ｓｓを音声信号処理部１４に出力する。続いて、映像信号処理部１２が、映像信号Ｓｐを映像データＤｉに変換して投写部１３に出力し、投写部１３が、映像データＤｉに基づいて光変調した投写光Ｌを出力する。これにより、図４に示すように、映像Ｐがスクリーン１００に投写される。また、音声信号処理部１４が、低下後の設定音量Ｖ１に対応するゲインで音声信号Ｓｓを増幅してスピーカ１５に出力する。これにより、音声信号Ｓｓに基づく音声が低下後の設定音量Ｖ１で（つまり、規定音量Ｖ２で）スピーカ１５から出力される。この場合、このプロジェクタ１では、上記したように、本体操作部１６の電源キー３１を操作したときに、制御部２０が音量低下処理を実行する。このため、このプロジェクタ１では、設定音量Ｖ１が大きく設定されていたとしても、規定音量Ｖ２を十分に小さな値に規定しておくことで、本体部２の近くで本体操作部１６を操作しているユーザーが大音量の音声に曝される不都合を確実に解消することが可能となっている。
【００２７】
ここで、上記したステップ５５において、設定音量Ｖ１が規定音量Ｖ２以下のときには、制御部２０は、その旨を判別して、設定音量Ｖ１を低下させる音量低下処理を実行することなく（ステップ５６を実行することなく）、ＤＶＤ２００の再生を開始させる（ステップ５７の実行）。また、リモコン３における電源キー４１の操作によって起動を行ったときには、制御部２０は、上記したステップ５３において、その旨を判別して、ステップ５４〜５６を実行することなく、つまり上記した音量低下処理を実行することなく、ＤＶＤ２００の再生を開始させる（ステップ５７の実行）。このため、リモコン３における電源キー４１の操作によって起動が行われたときには、当初設定されていた設定音量Ｖ１で音声が出力される。
【００２８】
一方、起動処理の終了時点で、ＤＶＤ再生部１１にＤＶＤ２００がセットされていないときには、制御部２０は、上記したステップ５２において、その旨を判別して、ステップ５３〜５７を実行することなく第１処理５０を終了する。この場合、起動処理を終了した後に、ＤＶＤ再生部１１にＤＶＤ２００をセットしたときには、制御部２０は、図６に示す第２処理６０を実行する。
【００２９】
この第２処理６０では、制御部２０は、本体操作部１６およびリモコン３における電源キー３１，４１を除くいずれかの操作キーが操作されたか否かの判別を繰り返して実行し（ステップ６１）、いずれかの操作キーが操作されたときには、その操作キーが本体操作部１６の操作キーであるか否かを判別する（ステップ６２）。この場合、本体操作部１６の操作キーが操作されたと判別したときには、制御部２０は、上記した第１処理５０のステップ５４，５５と同様にして、設定音量Ｖ１および規定音量Ｖ２を特定して（ステップ６３）、設定音量Ｖ１が規定音量Ｖ２を超えているか否かを判別する（ステップ６４）。次いで、制御部２０は、設定音量Ｖ１が規定音量Ｖ２を超えているときには、上記した音量低下処理を実行した後に（ステップ６５）、ＤＶＤ２００の再生を開始させる（ステップ６６）。これにより、映像Ｐがスクリーン１００に投写されると共に、スピーカ１５から規定音量Ｖ２で音声が出力される。
【００３０】
一方、設定音量Ｖ１が規定音量Ｖ２以下のときには、制御部２０は、音量低下処理を実行することなく（ステップ６５を実行することなく）、ＤＶＤ２００の再生を開始させる（ステップ６６の実行）。また、ステップ６２において、リモコン３の操作キーが操作されたと判別したときには、制御部２０は、ステップ６３〜６５を実行することなくＤＶＤ２００の再生を開始させる（ステップ６６の実行）。この場合においても、本体操作部１６における電源キー３１を除くいずれかの操作キーを操作したときに制御部２０が音量低下処理を実行するため、本体部２の近くで本体操作部１６を操作しているユーザーが大音量の音声に曝される不都合が確実に解消される。
【００３１】
また、ＤＶＤ２００の再生中、つまりスピーカ１５から音声が出力されている状態において電源キー３１を除く本体操作部１６のいずれかの操作キーが操作されたときには、制御部２０は、図７に示す第３処理７０を実行する。この第３処理７０では、制御部２０は、上記した第１処理５０のステップ５４，５５と同様にして、設定音量Ｖ１および規定音量Ｖ２を特定して（ステップ７１）、設定音量Ｖ１が規定音量Ｖ２を超えているか否かを判別する（ステップ７２）。続いて、制御部２０は、設定音量Ｖ１が規定音量Ｖ２を超えているときには、上記した音量低下処理を実行する（ステップ７３）。これにより、スピーカ１５から出力されている音声が規定音量Ｖ２まで低下する。
【００３２】
次いで、制御部２０は、時間Ｔ（一例として、１分）が経過したか否かを判別する（ステップ７４）。続いて、時間Ｔが経過した時点で、制御部２０は、設定音量Ｖ１を音量低下処理の実行直前の音量、つまり規定音量Ｖ２よりも大きい音量に上昇させる音量上昇処理を実行する（ステップ７５）。この場合、制御部２０は、この音量上昇処理において設定音量Ｖ１を徐々に上昇させる。一方、ステップ７２において、設定音量Ｖ１が規定音量Ｖ２以下であると判別したときには、制御部２０は、ステップ７３〜７５を実行することなく、第３処理７０を終了する。
【００３３】
この場合、上記したように、スピーカ１５から音声が出力されている状態において本体操作部１６における電源キー３１を除くいずれかの操作キーを操作したときに制御部２０が音量低下処理を実行する。このため、例えば、ＤＶＤ２００の再生中に本体部２の向きを調整した後に本体操作部１６を用いて台形補正等を行う場合においても、本体部２の近くで本体操作部１６を操作しているユーザーが大音量の音声に曝される不都合が確実に解消される。また、音量低下処理を実行した時点から時間Ｔが経過した時点で制御部２０が音量上昇処理を実行するため、音量低下処理によって自動的に低下した設定音量Ｖ１を再び上昇させるためにリモコン３の音量設定キー４３を操作する煩雑さが解消される。さらに、制御部２０が音量上昇処理において設定音量Ｖ１を徐々に上昇させるため、設定音量Ｖ１を違和感なく元の音量に戻すことが可能となっている。
【００３４】
このように、このプロジェクタ１および音声出力制御方法では、本体操作部１６の操作キーが操作されかつスピーカ１５から出力させる音声の設定音量Ｖ１が操作キーの操作時点において規定音量Ｖ２を超えているときに、設定音量Ｖ１を規定音量Ｖ２まで低下させる音量低下処理を実行する。このため、このプロジェクタ１および音声出力制御方法によれば、設定音量Ｖ１が大きく設定されていたとしても、規定音量Ｖ２を十分に小さな値に規定しておくことで、本体部２の近くで本体操作部１６を操作しているユーザーが大音量の音声に曝される不都合を確実に解消することができる。
【００３５】
また、このプロジェクタ１および音声出力制御方法では、プロジェクタ１に備えられているＤＶＤ再生部１１を操作する操作キー（例えば、再生キー３２）が操作されたときに音量低下処理を実行する。このため、このプロジェクタ１および音声出力制御方法によれば、ＤＶＤ再生部１１にＤＶＤ２００をセットすると共に本体操作部１６を用いてＤＶＤ再生部１１を操作しているユーザーが大音量の音声に曝される不都合を確実に解消することができる。
【００３６】
また、このプロジェクタ１および音声出力制御方法では、スピーカ１５から音声が出力されている状態において本体操作部１６の操作キーが操作されたときに音量低下処理を実行する。このため、このプロジェクタ１によれば、例えば、ＤＶＤ２００の再生中に本体部２の向きを調整した後に本体操作部１６を用いて台形補正等を行う場合においても、本体部２の近くで本体操作部１６を操作しているユーザーが大音量の音声に曝される不都合を確実に解消することができる。
【００３７】
また、このプロジェクタ１および音声出力制御方法では、音量低下処理を実行した時点から時間Ｔが経過したときに、設定音量Ｖ１を音量低下処理の実行直前に設定されていた音量まで上昇させる音量上昇処理を実行する。このため、このプロジェクタ１および音声出力制御方法によれば、音量低下処理によって自動的に低下した設定音量Ｖ１を再び上昇させるためにリモコン３の音量設定キー４３を操作する煩雑さを解消することができる。
【００３８】
また、このプロジェクタ１および音声出力制御方法では、音量上昇処理において設定音量Ｖ１を徐々に上昇させる。このため、このプロジェクタ１および音声出力制御方法によれば、設定音量Ｖ１を違和感なく元の音量に戻すことができる。
【００３９】
なお、本発明は、上記の構成や実施例に限定されない。例えば、記録メディアとしてのＤＶＤ２００を再生可能なＤＶＤ再生部１１を備えた例について上記したが、本発明における記録メディアには、ＣＤ等の光ディスク、磁気テープおよびリムーバブルメモリ等が含まれる。したがって、これらの記録メディアを再生可能な再生部を備えた構成を採用することができる。また、ＤＶＤ再生部１１を用いてＤＶＤ２００を再生する実施例について上記したが、外部から映像信号Ｓｐや音声信号Ｓｓを入力して、それらに基づく映像投写や音声出力を行う際にも、制御部２０は、上記した第１処理５０、第２処理６０および第３処理７０を実行し、この際にも、上記した実施例と同様の効果を実現することができる。したがって、ＤＶＤ再生部１１を備えずに、外部から入力した映像信号Ｓｐや音声信号Ｓｓに基づく映像投写や音声出力を行うプロジェクタにも本発明を適用することができる。
【図面の簡単な説明】
【００４０】
【図１】プロジェクタ１の正面側から見た斜視図である。
【図２】プロジェクタ１の背面側から見た斜視図である。
【図３】プロジェクタ１の構成を示すブロック図である。
【図４】プロジェクタ１の使用方法を説明するための説明図である。
【図５】第１処理５０のフローチャートである。
【図６】第２処理６０のフローチャートである。
【図７】第３処理７０のフローチャートである。
【符号の説明】
【００４１】
１  プロジェクタ、２  本体部、１１  ＤＶＤ再生部、１３  投写部、１４  音声信号処理部、１５  スピーカ、１６  本体操作部、２０  制御部、３１  電源キー、３２  再生キー、３３  音量設定キー、５０  第１処理、６０  第２処理、７０  第３処理、２００  ＤＶＤ、Ｄｖ１  設定音量データ、Ｄｖ２  規定音量データ、Ｔ  時間、Ｖ１  設定音量、Ｖ２  規定音量
【図１】
2009100077.tif 000003
【図２】
2009100077.tif 000004
【図３】
2009100077.tif 000005
【図４】
2009100077.tif 000006
【図５】
2009100077.tif 000007
【図６】
2009100077.tif 000008
【図７】
2009100077.tif 000009